(57)【要約】      （修正有）【課題】紙幣の透かし模様の有無を簡単な構造で、かつ顧客に不快感を与えずに、日常のレジスタ−業務に組み込み偽札を識別することを、またはレジスタ−を使わないで商売する、たばこ屋、縁日の屋台、農産物直売所、朝市、等で偽札の識別を目的とする。【解決手段】光が透過可能な板体を設け、板体を支える箱状のもの３の内部に反射式赤外線センサ４、緑色発光ダイオ−ド５、６、７そしてこれらを制御する回路８等を設置し、また紙幣置板の右端に紙幣押さえを設置して、顧客から預った紙幣を紙幣置板の上に置き、さらに紙幣押さえで紙幣を紙幣置板に密着させて、反射式赤外線センサ４で、紙幣を感知して回路８等で緑色発光ダイオ−ド５、６、７を点滅または点灯させて紙幣の透かしを目で確認することが可能となる偽札簡易判定器。【選択図】図１
0003120410.tif 000002
【実用新案登録請求の範囲】
【請求項１】
光が透過可能な板体で、少なくとも紙幣と同等の大きさを有する紙幣置板と、前記紙幣置板の下方で、その上に置いた紙幣の透かしの部分に対向する位置に設置した発光ダイオ−ドと、前記紙幣置板の上に置いた紙幣を上から押さえる紙幣押さえと、前記発光ダイオ−ドを点灯する点灯回路と前記紙幣置板に紙幣が置かれたことを感知して、前記点灯回路に通電するセンサとからなる偽札簡易判定器。
【請求項２】
前記点灯回路には、前記発光ダイオ−ドを点滅させる点滅回路を組み込んでなることを特徴とする、請求項１記載の偽札簡易判定器。
【考案の詳細な説明】
【技術分野】
【０００１】  本考案は、紙幣の透かし模様と透かしマ−クを下から光を当て、目で確認し紙幣の真偽を判定する偽札簡易鑑定器に関するものである。
［背景技術］【０００２】  従来の紙幣鑑定器には、光学センサ等を使い紙幣の透かし部を識別するものがある。（例えば、特開２００５−４６０１）
また紙幣の透かし模様および透かしマ−クの位置を、正しいマスタ−プレ−トと照合して真偽鑑定を行うものもある。（例えば、特開２００１−３２５６３９）
また紙幣類に下方から光を当て、紙幣の透かし模様の有無を識別するものもある。（例えば、特開２００２−３０４６７０、特開２００３−２１６９９８、特開平１１−６６３７９）
［特許文献１］  特開２００５−４６０１
［特許文献２］  特開２００１−３２５６３９
［特許文献３］  特開２００２−３０４６７０
［特許文献４］  特開２００３−２１６９９８
［特許文献５］  特開平１１−６６３７９
［考案の開示］
［考案が解決しようとする課題］【０００３】  従来の紙幣鑑定器は、磁気センサや光学センサを使い判定するため構造が複雑になり高価な物になり一般の人が使えないものであった。【０００４】  また偽造紙幣の判定を，紙幣にある透しや透かしマ−クの位置を目で確認する解決手段が考案されたが、紙幣の種類によりマスタ−プレ−トを変える必要があった。【０００５】  また紙幣に下方から光を当てる光源に、蛍光灯を用いたため、大型化しまた専用電源を必要とし、携行に問題があった。【０００６】  また紙幣を置く台に、置れた紙幣を感知する装置が無いので、電源スイッチを入れると、蛍光灯や発光ダイオ−ドが常に点灯しているので、顧客の前で使用すると顧客が鑑定器を意識して不快感を覚える恐れがあった。【０００７】  また紙幣を置く台に、顧客から預かった紙幣が、曲がった状態のときの備えが無いので、曲がった紙幣を手で平らにする必要があった。【０００８】  また紙幣を鑑別するときに、紙幣を鑑別器に挟んだり挿入したりするので、日常のレジスタ−業務に組み込み連続して簡単に紙幣の鑑別ができなかった。【０００９】  本考案は、このような従来の構成が有していた問題を解決しようとするものであり、紙幣の透かし模様の有無を簡単な構造で、かつ顧客に不快感を与えずに、日常のレジスタ−業務に組み込み偽札を識別することを、またはレジスタ−を使わないで商売する、たばこ屋、縁日の屋台、農産物直売所、朝市、等で偽札の識別を目的とするものである。
［課題を解決するための手段］【００１０】  本考案の偽札判定器１は、箱状体３の上面に透明プラスチック、ガラス等の光が透過可能な板体からなる紙幣置板２が設けられている。紙幣置板２に置かれた紙幣を感知するため、箱状体３の内部に反射式赤外線センサ４、センサ４からの信号で点滅または点灯する緑色発光ダイオ−ド５、６、７、およびこれらを制御する回路８等を設ける。【００１１】  本考案の偽札簡易判定器を使用する場所により緑色発光ダイオ−ドが、点滅または点灯するようにスイッチ１４を設ける。【００１２】  顧客から預かった曲がった紙幣を上から押さえて紙幣置板２に密着させるために、紙幣置板２の右端に複数の紙幣押さえ１６を設ける。
［考案の効果］【００１３】  上述したように本考案の偽札簡易判定器１は、顧客から預かった紙幣を紙幣置板２の上に一時保管し、かつ保管時に箱状体３の内部で緑色発光ダイオ−ド５，６，７、を点滅または点灯させて、目で紙幣の透かしを確認できるので、販売業務の流れの中で顧客に不快感を与えずに、短時間で紙幣の真偽判定を常時可能とする偽札簡易判定器を提供できる。【００１４】  緑色ダイオ−ドの光は、白、赤、黄、青の光と比較すると透かしの濃淡がはっきりする。【００１５】  コンビニエンスストア−等の店内で使用するときは、緑色発光ダイオ−ドを点灯状態にする事により目立たずお客様に、不快感を与えずに偽札の判定ができる。【００１６】  縁日等の雑踏で使用するときには、緑色発光ダイオ−ドを点滅させると偽札簡易判定器を使用していることが目立ち偽札を使い難くなる。【００１７】  緑色の発光ダイオ−ドが点滅状態のときにおいても、紙幣の透かしは、目の残像効果で点灯した状態と同じように見えますが、紙幣に下で緑色発光ダイオ−ドが点滅すると人の注意を引くので偽札を使い難くなる。【００１８】  本考案は、販売業務の流れの中で顧客より受け取った紙幣の真偽を紙幣の透かしの有無で、常時簡易判定することにより偽札を使い難くして偽札使用の被害を未然に防ぐ事を目的とするものである。
［考案を実施するための最良の形態］【００１９】  図１に示すように、光が透過可能な紙幣置板２と紙幣置板を支える箱状体３で形成され、箱状体３の内部に反射式赤外線センサ４、緑色発光ダイオ−ド５、６、７、そしてこれらを制御する回路８等で偽札簡易判定器を形成する。【００２０】  紙幣置板２の右端に紙幣押さえ１６を設けて、曲がった紙幣を上から押さえて置板２に密着させる。また紙幣を置板２に密着させる方法は、実施例１にこだわらずに他の方法でも良い。
［実施例１］【００２１】  光が透過可能な板体で形成された紙幣置板２と、紙幣置板２を支える箱状体３の内部に、反射式赤外線センサ４緑色発光ダイオ−ド５、６、７、そしてこれらを制御する回路８等を設けて、さらに紙幣置板２の右端に紙幣押さえ１６を設けて、顧客から預かった紙幣を紙幣置板２の上に置きさらに紙幣押さえ１６で紙幣を上から押さえて紙幣置板２に密着させ、反射式赤外線センサ４で、紙幣を感知して回路８等で緑色発光ダイオ−ド５、６、７、を点滅または点灯させることにより紙幣の透かしの有無を目で確認して紙幣を簡易判定する。【００２２】  図３において紙幣置板２の上に紙幣置くと、箱状体３の内部に設けた反射式赤外線センサ４（ＰＨＲ１）の発光ダイオ−ドの光が、紙幣に反射して反式赤外線センサ４（ＰＨＲ１）の受光ダイオ−ドに電流が流れ、その電流をアイシ−８（ＩＣ１）が検出してその電流でトランジスタ９（ＴＲ１）が働き、トランジスタ９（ＴＲ１）が働くと、トランジスタ１０（ＴＲ２）、トランジスタ１１（ＴＲ３）に電圧が供給されてトランジスタ１０（ＴＲ２）トランジスタ１１（ＴＲ３）が動作し発光ダイオ−ド５（ＬＥＤ１）発光ダイオ−ド６（ＬＥＤ２）発光ダイオ−ド７（ＬＥＤ３）が点灯するまたスイッチ１４（Ｓ１）を入れることによりトランジスタ１０（ＴＲ２）とトランジスタ１１（ＴＲ３）が交互に動作して発光ダイオ−ド５、６、７、が点滅する。またボリュ−ム１２（ＶＲ１）は反射式赤外線センサ（４）の反射感度を調整するまたボリュ−ム１３（ＶＲ２）は発光ダイオ−ドの５、６、７、の点滅時間を調整する。また回路への電圧の供給は、外部の既製のＡＣアダプタ−や電池ボックスを使いコネクタ−１５（Ｐ１）から供給される。【００２３】  本考案の偽札簡易判定器を使用するにあたり設置する場所に応じて、緑色発光ダイオ−ド５、６、７、を点滅又は点灯するように図３においてスイッチ１４（Ｓ１）を設ける。【００２４】  図１において、１６はゴム等で作る小型のタイヤのようなの形状をした物で、針金１８に通してリング１７で固定し針金の両端を曲げて箱状体３の右側面に上下自在に動くように取り付ける。
［産業上の利用可能性］【００２５】  紙幣置板２に置かれた紙幣を、反射式赤外線センサ４で感知、緑色発光ダイオ−ド５、６、７、を点滅または点灯させて紙幣の透かしを目で確認する簡単な構造で構成されてるので、従来の鑑定器より安く提供でき、また日常のレジスタ−業務に組み込み、常時紙幣の鑑定を行うことができる、または単独で常時紙幣の鑑定を行えるので広く一般に普及させることが可能となる。【００２６】  本考案の偽札簡易判定器は、簡単な構造で安くでき、かつＡＣ電源でも電池でも使用できるのでレジスタ−を使わない、たばこ屋さん、縁日の屋台、農産物直売所、朝市、等で使えるので偽札使用を予防できる。
【図面の簡単な説明】
【００２７】［図１］  本考案の実施例を示す斜視図である。
［図２］  本考案の箱状体３の内部の斜視図である。
［図３］  本考案の回路図の１例である。
【符号の説明】
【００２８】  １      偽札鑑定器
２      紙幣置板
３      箱状体
４      反射式赤外センサＰＨＲ１
５      緑色発光ダイオ−ドＬＥＤ１
６      緑色発光ダイオ−ドＬＥＤ２
７      緑色発光ダイオ−ドＬＥＤ３
８      制御回路ＩＣ１
９      制御回路ＴＲ１
１０    制御回路ＴＲ２
１１    制御回路ＴＲ３
１２    制御回路ＶＲ１
１３    制御回路ＶＲ２
１４    点灯、点滅切替えスイッチＳ１
１５    電源コネクタ−Ｐ１
１６    紙幣押さえ
１７    紙幣押さえ固定リング
１８    針金
【図１】
0003120410.tif 000003
【図２】
0003120410.tif 000004
【図３】
0003120410.tif 000005